(57)【要約】【課題】収納すべき小物類に合わせてポケットの大きさを任意に変えることができて、使い勝手を格段に向上させ得る、比較的シンプルな構成でかつ低コストで作製できる、カバン類に用いられる小物収納具を提供する。【解決手段】矩形シート状ないし帯状のベース基材２１と、少なくとも横方向に伸縮可能な素材で矩形シート状ないし帯状に作製され、前記ベース基材２１の一面側にその両端部及び下端部が縫合、接着等により接合されて前記ベース基材２１との間に上面が開口する大ポケット２５を形成する表面材２２と、前記ベース基材２１と前記表面材２２とを挟圧するようにそれらの外周側の任意の部位に上下方向に立てた姿勢で着脱可能に取り付けられる一つないし複数の仕切用挟持具５０、５０と、を備え、前記大ポケット２５を前記仕切用挟持具５０、５０で任意の大きさの複数の小ポケット２５ａ、２５ｂ、２５ｃに分割可能とされている。【選択図】  図１
2009131385.tif 000002
【特許請求の範囲】
【請求項１】
矩形シート状ないし帯状のベース基材と、少なくとも横方向に伸縮可能な素材で矩形シート状ないし帯状に作製され、前記ベース基材の一面側にその両端部及び下端部が縫合、接着等により接合されて前記ベース基材との間に上面が開口する大ポケットを形成する表面材と、前記ベース基材と前記表面材とを挟圧するようにそれらの外周側の任意の部位に上下方向に立てた姿勢で着脱可能に取り付けられる一つないし複数の仕切用挟持具と、を備え、前記大ポケットを前記仕切用挟持具で任意の大きさの複数の小ポケットに分割可能とされていることを特徴とするカバン類に用いられる小物収納具。
【請求項２】
横倒しコ字状ないし矩形枠状のフレーム部材を備え、前記ベース基材と前記表面材とで構成されるポケット形成部材の少なくとも両端部が前記フレーム部材の両側辺部に支持されて、該ポケット形成部材が伸長状態とされていることを特徴とする請求項１に記載のカバン類に用いられる小物収納具。
【請求項３】
前記表面材の上端は、前記ベース基材の上端から所定長だけ下側に段下げされていることを特徴とする請求項１又は２に記載のカバン類に用いられる小物収納具。
【請求項４】
前記仕切り用挟持具は、前記ベース基材と前記表面材とを挟み得る細長い板状ないし棒状の受け片及び押さえ片を備え、前記受け片の一端部に前記押さえ片の一端部が回動可能に支持され、かつ、前記ベース基材と前記表面材とを挟圧すべく、前記受け片及び押さえ片の他端部に、それらを相互に近づける方向に押圧するとともに該押圧状態で係止するための押圧係止部材が設けられていることを特徴とする請求項１から３のいずれか一項に記載のカバン類に用いられる小物収納具。
【請求項５】
前記仕切り用挟持具は、前記ベース基材と前記表面材とを挟み得る細長い板状ないし棒状の受け片及び押さえ片と、該受け片と押さえ片とを相互に圧接する方向に付勢するばね部材とを備えていることを特徴とする請求項１から３のいずれか一項に記載のカバン類に用いられる小物収納具。
【請求項６】
前記仕切り用挟持具は、一つの弾性板材もしくは弾性線材を折り曲げて作製され、その折曲部が前記ばね部材として機能するようにされていることを特徴とする請求項５に記載のカバン類に用いられる小物収納具。
【請求項７】
前記フレーム部材の上下にそれぞれ前記ポケット形成部材が配在されていることを特徴とする請求項２から６のいずれか一項に記載のカバン等に用いられる小物収納具。
【請求項８】
請求項１から７のいずれか一項に記載の小物収納具が配備されているカバン類。
【発明の詳細な説明】
【技術分野】
【０００１】
本発明は、カバン、バッグ、リュックサック、スーツケース等（以下、カバン類と称す）の中で小物類（例えば、手帳、化粧品、携帯電話、筆記具、携帯情報端末、財布、デジカメ、ヘッドホンステレオ等）を分けて収納するのに好適な、カバン類に用いられる小物収納具に関する。
【背景技術】
【０００２】
カバン類の中で小物類が乱雑になるのを防ぐため、カバン類の中に、小物類を分けて収納するための幾つかのポケットを有する小物収納具を配備することが多い。
しかし、従来のカバン類に配備される小物収納具は、通常、そのポケットの大きさを変えることができない。
それに対し、カバン類の中に入れる小物類は人によって異なり、その大きさもまちまちである。
そのため、従来の小物収納具は、その整理収納機能が不十分で使いづらいものであった。
【０００３】
このような実情に鑑み、下記特許文献１には、小物が収容可能な背面が平面状に形成されたケース状のポケット体と、平板状で上記ポケット体を複数取付け可能な大きさを有するベース部材とを備えるとともに、前記ポケット体の背面と前記ベース部材の取付面の何れか又は両方に両者を互いに着脱自在に接着する接着手段が設けられ、前記ベース部材は前記ポケット体が接着された状態でカバンやバッグ等の荷物入れの中に挿入可能な構成とした小物収納具が提案されている。
【０００４】
【特許文献１】特開２００５−１１１０４５号公報
【発明の開示】
【発明が解決しようとする課題】
【０００５】
しかしながら、前記提案の小物収納具では、ベース部材にポケット体が着脱自在に取り付けられるので、多様な人々に合わせてポケット体の数や大きさ、配置を適宜選択することができるという利点を有するものの、予め大きさや形状の異なる多種類のポケット体を用意しておかなければならないという問題がある。つまり、大きさや形状の異なる多種類のポケット体を用意することは、当該小物収納具のコストを押し上げることになり、また、収納すべき小物類が、用意されているポケット体に合わない可能性もあり、さらに、用意された多種類のポケット体のうちの幾つかは、人によっては全く使用されず無駄になることもある。
【０００６】
本発明は、上記事情に鑑みてなされたもので、その目的とするところは、収納すべき小物類に合わせてポケットの大きさを任意に変えることができて、使い勝手を格段に向上させ得る、比較的シンプルな構成でかつ低コストで作製できる、カバン類に用いられる小物収納具を提供することにある。
【課題を解決するための手段】
【０００７】
前記の目的を達成すべく、本発明に係るカバン類に用いられる小物収納具は、基本的には、矩形シート状ないし帯状のベース基材と、少なくとも横方向に伸縮可能な素材で矩形シート状ないし帯状に作製され、前記ベース基材の一面側にその両端部及び下端部が縫合、接着等により接合されて前記ベース基材との間に上面が開口する大ポケットを形成する表面材と、前記ベース基材と前記表面材とを挟圧するようにそれらの外周側の任意の部位に上下方向に立てた姿勢で着脱可能に取り付けられる一つないし複数の仕切用挟持具と、を備え、前記大ポケットを前記仕切用挟持具で任意の大きさの複数の小ポケットに分割可能とされていることを特徴としている。
【０００８】
好ましい態様では、横倒しコ字状ないし矩形枠状のフレーム部材を備え、前記ベース基材と前記表面材とで構成されるポケット形成部材の少なくとも両端部が前記フレーム部材の両側辺部に支持されて、該ポケット形成部材が伸長状態とされる。
【０００９】
前記表面材の上端は、好ましくは、前記ベース基材の上端から所定長だけ下側に段下げされる。
【００１０】
前記仕切り用挟持具は、好ましくは、前記ベース基材と前記表面材とを挟み得る細長い板状ないし棒状の受け片及び押さえ片を備え、前記受け片の一端部に前記押さえ片の一端部が回動可能に支持され、かつ、前記ベース基材と前記表面材とを挟圧すべく、前記受け片及び押さえ片の他端部に、それらを相互に近づける方向に押圧するとともに該押圧状態で係止するための押圧係止部材が設けられる。
【００１１】
前記仕切り用挟持具は、好ましくは、前記ベース基材と前記表面材とを挟み得る細長い板状ないし棒状の受け片及び押さえ片と、該受け片と押さえ片とを相互に圧接する方向に付勢するばね部材とを備える。
【００１２】
前記仕切り用挟持具は、好ましくは、一つの弾性板材もしくは弾性線材を折り曲げて作製され、その折曲部が前記ばね部材として機能するようにされる。
【００１３】
他の好ましい態様では、前記フレーム部材の上下にそれぞれ前記ポケット形成部材が配在される。
一方、本発明に係るカバン類は、上記構成の小物収納具が配備されているものである。
【発明の効果】
【００１４】
上記の如くの構成とされた本発明に係るカバン類に用いられる小物収納具では、ベース基材と表面材とで形成される上面が開口する大ポケットの横方向の任意の部位に、その外側から仕切用挟持具を挟持させて取り付け、大ポケットを仕切用挟持具で任意の大きさの複数の小ポケットに分割するようにされる。この場合、小ポケットの大きさは、仕切用挟持具の取付位置により決まるので、収納すべき小物類（の大きさ）に合わせて仕切用挟持具の取り付け位置を決めればよい。
【００１５】
このように本発明の小物収納具は、収納すべき小物類に合わせてポケットの大きさを任意に変えることができるので、使い勝手を格段に向上させることができる。
【００１６】
また、基本的には、ベース基材及び表面材と、後付けされる一つないし複数の仕切用挟持具とで構成されるので、比較的シンプルな構成となる上、仕切用挟持具としては、一般に市販されている紙止め、ヘアーピン類等を使用することもできるので、低コストで作製できる。
【発明を実施するための最良の形態】
【００１７】
以下、本発明の実施形態を図面を参照しながら説明する。
図１は、本発明に係るカバン類に用いられる小物収納具の一実施形態を示す正面図である。
図１に示される小物収納具１は、仮想線で示される如くのカバン１００に配備するのに好適なもので、カバン１００内に出し入れ可能な大きさに設定されている。
【００１８】
該小物収納具１は、横倒しコ字状で上下二段構成のフレーム部材１０と、矩形シート状ないし帯状のベース基材２１及び表面材２２からなる下段ポケット形成部材２０と、該下段ポケット形成部材２０より縦長が短い、矩形シート状ないし帯状のベース基材３１及び表面材３２からなる上段ポケット形成部材３０とを備えている。
【００１９】
前記表面材２２、３２は、横方向に伸縮可能な材料、例えばゴム入り織物を素材として作製され、前記ベース基材２１、３１の一面（表面）側にその両端部及び下端部が縫合されており、これにより、当該表面材２２、３２とベース基材２１、３１との間には上面が開口する大ポケット２５、３５が形成されている。また、大ポケット２５、３５の上面（開口）、すなわち、表面材２２、３２の上端は、ベース基材２１、３１の上端から所定長だけ下側に段下げされている。このように表面材２２、３２の上端をベース基材２１、３１の上端から段下げすることにより、後述するように小物類の出し入れが容易となる。
【００２０】
ベース基材２１、３２は、ここでは、表面材２２、３２より厚手の、横方向に伸縮可能なゴム入り織物を素材として作製されているが、必ずしもこれに限られるわけではなく、伸縮性を持たない通常の織布、皮革、合成樹脂シート等を素材としてもよい。
【００２１】
前記フレーム部材１０は、例えばアルミ合金製のパイプ１１、１３、１３、１４、１５、１５と、合成樹脂製のＬ形継手１６、１６、Ｔ形継手１７、１７、及びキャップ１８、１８を組み上げたもので、前記下段ポケット形成部材２０の下端部及び両側端部に形成された通し穴２６、２７、２７に下段底辺パイプ１１及び下段両側辺パイプ１３、１３が通され、前記上段ポケット形成部材３０の下端部及び両側端部に形成された通し穴３６、３７、３７に上段底辺パイプ１４及び上段両側辺パイプ１５、１５が通され、これによって、下段ポケット形成部材２０及び上段ポケット形成部材３０がピーンと張った伸長状態で、フレーム部材１０に不動支持されている。
【００２２】
上記構成に加え、本実施形態の小物収納具１では、図２に示される如くの仕切用挟持具５０（５０’）が備えられている。この仕切用挟持具５０は、下段ポケット形成部材２０を構成するベース基材２１と表面材２２とを挟圧するようにそれらの外周側の任意の部位に上下方向に立てた姿勢で着脱可能に取り付けられるものである。また、仕切用挟持具５０’は、上段ポケット形成部材３０を構成するベース基材３１と表面材３２とを挟圧するようにそれらの外周側の任意の部位に上下方向に立てた姿勢で着脱可能に取り付けられるものであり、下段ポケット形成部材２０に取り付けられる仕切用挟持具５０よりは縦長が短くされているが、それ以外の構成は同じである。以下においては、下段ポケット形成部材２０に取り付けられる仕切用挟持具５０を代表して説明する。
【００２３】
仕切用挟持具５０は、具体的には、ベース基材２１と表面材２２とを挟み得る細長い板状ないし棒状の受け片５１及び押さえ片５２を備え、受け片５１の一端部に押さえ片５２の一端部がピン５３で回動可能に支持され、かつ、ベース基材２１と表面材２２とを挟圧すべく、受け片５１及び押さえ片５２の一端部近くには、前記底辺パイプ１１（１４）部分に対応した半円状部５１ｂ、５２ｂが設けられるとともに、受け片５１及び押さえ片５２の他端部には、それらを相互に近づける方向に押圧するとともに該押圧状態で係止するための、例えばリップ溝形状の鋼線材からなる揺動アーム５５ａと該揺動アーム５５ａに回転自在に支持されたローラ５５ｂからなる押圧係止部材５５が設けられている。
【００２４】
この押圧係止部材５５を下段ポケット形成部材２０に取り付ける（移動させる）際には、図において破線で示される如くに、押圧係止部材５５を回動させるようにして押さえ片５２の他端部近くに設けられた半円形の溝５２ｃからローラ５５ｂを引き出して（各部の弾性撓曲性を利用する）押圧係止状態を解除する。しかる後、押さえ片５２を図２の破線で示される如くにピン５３を支点にして開き、ベース基材２１と表面材２２とで形成される上面が開口する大ポケット２５の横方向の任意の部位、つまり、収納すべき小物類の大きさに合った小ポケットが形成されるように、その取り付け位置を決めて、押さえ片５２を前記とは逆方向に回動させて閉じるとともに、押圧係止部材５５を前記とは逆方向に回動させてローラ５５ｂを溝５２ｃに嵌め込む。これにより、受け片５１と押さえ片５２とが相互に近づく方向に押圧されて該押圧状態で係止される。
【００２５】
そして、例えば２つの仕切用挟持具５０、５０について前記のような操作を行えば、図１に示される如くに、下段の大ポケット２５が任意の大きさの（収納すべき小物類の大きさに合った）３つの小ポケット２５ａ、２５ｂ、２５ｃに分割される。
【００２６】
また、上段の大ポケット３５についても同様に、例えば３つの仕切用挟持具５０’、５０’、５０’を使えば、任意の大きさの（収納すべき小物類の大きさに合った）４つの小ポケット３５ａ、３５ｂ、３５ｃ、３５ｄに分割される。
【００２７】
このようにして分割された小ポケット２５ａ、２５ｂ、２５ｃ、３５ａ、３５ｂ、３５ｃ、３５ｄに小物類を収納する際には、図３、図４に小ポケット２５ｂが代表して示される如くに、段下げされて開きやすくなっている表面材２２の上端部を手指あるいはそこに収納すべき小物類７０で外側に押し開き、小物類７０を小ポケット２５ｂ内に挿入する。すると、表面材２２（及びベース基材２１）が横方向に伸縮可能な素材で作製されていることから、図４に示される如くに、表面材２２の上部が小物類７０に覆い被さり、カバン１００に多少の衝撃や振動が加えられても、小物類７０が抜け難くなる。
【００２８】
このように、本実施形態の小物収納具１は、収納すべき小物類に合わせてポケットの大きさを任意に変えることができるので、使い勝手を格段に向上させることができる。
【００２９】
また、パイプ等で構成されるフレーム部材１０と、ベース基材２１及び表面材２２と、後付けされる一つないし複数の仕切用挟持具５０、５０’とで構成されるので、比較的シンプルな構成となり低コストで作製できる。
【００３０】
なお、仕切用挟持具としては、上記したもの以外にも、一般に市販されている紙止め、ヘアーピン類等、具体的には、前記ベース基材２１と前記表面材２２とを挟み得る細長い板状ないし棒状の受け片及び押さえ片と、該受け片と押さえ片とを相互に圧接する方向に付勢するばね部材とを備えているものや、図５に示される仕切用挟持具６０のように、一つの弾性板材もしくは弾性線材を折り曲げて作製され、その折曲部が前記ばね部材として機能するようにされているもの等を使用することができる。なお、かかる構成の仕切用挟持具６０は、前記した仕切用挟持具５０のようにポケット形成部材２０を上下方向に横断する長さは必要ではなく、図１において仮想線で示される如くに、上から差し込んで下端部には届かない長さに設定する。
【００３１】
また、前記実施形態の小物収納具１はカバン１００に配備することを想定してその寸法形状が設定されているが、小物収納具の寸法形状等は前記したものに限られる訳ではなく、それが使用される他のカバン類（バッグ、リュックサック、スーツケース等）の大きさ等に応じて変更してもよいことは勿論である。
【図面の簡単な説明】
【００３２】
【図１】本発明に係るカバン類に用いられる小物収納具の一実施形態を示す正面図。
【図２】図１に示される小物収納具に使用される仕切用挟持具の一例を示す図。
【図３】図１に示される小物収納具に小物類を収納する際の説明に供される図。
【図４】図１に示される小物収納具に小物類を収納する際の説明に供される図。
【図５】図１に示される小物収納具に使用される仕切用挟持具の他の例を示す図。
【符号の説明】
【００３３】
１    小物収納具
１０  フレーム部材
２０  下段ポケット形成部材
２１  ベース基材
２２  表面材
２５  下段大ポケット
２５ａ、２５ｂ、２５ｃ  下段小ポケット
３０  上段ポケット形成部材
３１  ベース基材
３２  表面材
３５  上段大ポケット
３５ａ、３５ｂ、３５ｃ、３５ｃ  上段小ポケット
５０、５０’、６０  仕切用挟持具
【図１】
2009131385.tif 000003
【図２】
2009131385.tif 000004
【図３】
2009131385.tif 000005
【図４】
2009131385.tif 000006
【図５】
2009131385.tif 000007